(57)【要約】      （修正有）【課題】簡易な構造で隣の使用者の視線が気になることを防止でき、また軽量で壊れ難い鏡を提供する。【解決手段】複数の光透過部１３、及び、隣り合う光透過部１３間に配列される間部を備える光学機能層１２を有する視野角制御層１０と、視野角制御層１０の一方の面に配置された接着層２０と、接着層２０を介して視野角制御層１０に配置される反射層３０と、反射層３０のうち、視野角制御層１０とは反対側に配置される、金属又は樹脂からなる支持板５０と、を備える。【選択図】図２
2018155909.tif 000002
【特許請求の範囲】
【請求項１】
複数の光透過部、及び、隣り合う前記光透過部間に配列される間部を備える光学機能層を有する視野角制御層と、
前記視野角制御層の一方の面に配置された接着層と、
前記接着層を介して前記視野角制御層に配置される反射層と、
前記反射層のうち、前記視野角制御層とは反対側に配置される、金属又は樹脂からなる支持板と、を備える鏡。
【請求項２】
前記視野角制御層は前記光学機能層に積層された基材層を備える、請求項１に記載の鏡。
【請求項３】
前記反射層が樹脂の透明支持体と金属薄膜とを含む、請求項１又は２に記載の鏡。
【請求項４】
前記反射層が金属薄膜からなる、請求項１又は２に記載の鏡。
【発明の詳細な説明】
【技術分野】
【０００１】
本発明は、鏡に関する。
【背景技術】
【０００２】
公共施設等の化粧室、デパート等の商業施設内の売り場等には、複数の鏡、または１つの横長の大きな鏡が設置され、同時に複数の人が用いることが想定されている。しかしながら、このような鏡を使用して化粧等を行う際は、鏡に反射して映り込む隣の人の仕草が横目で見えたり、反対にこちらの仕草を見られているように感じて隣の人の視線が気になったりすることがある。
このような、鏡の使用時に隣の使用者が気になることを防止する手段として、複数の鏡の間に映り込み防止部を設けた化粧用スペースの鏡連設構造や、１枚の横長の鏡に複数の仕切り壁を設けた多連化粧台が開示されている（特許文献１、特許文献２）。このような構造を用いることで、鏡の使用者の視野を制限し、上記の問題の解決を図っている。
【先行技術文献】
【特許文献】
【０００３】
【特許文献１】実公平０６−４６３５４号公報
【特許文献２】実公平０４−２１３４２号公報
【発明の概要】
【発明が解決しようとする課題】
【０００４】
このような仕切り壁や映り込み防止部のような構造は、隣の使用者の視線を遮断するためには効果的と考えられる。しかし、一方で、大がかりな設備を必要とし、また設置するためには壁に穴をあける等して施工する必要があり、手間やコストの面で問題があった。
【０００５】
また、このような鏡は多くの人が利用するため、できるだけ壊れ難い構造であることが望まれる。
【０００６】
そこで本発明は上記問題点に鑑み、簡易な構造で隣の使用者の視線が気になることを防止でき、また壊れ難い鏡を提供することを課題とする。
【課題を解決するための手段】
【０００７】
以下、本発明について説明する。
【０００８】
請求項１に記載の発明は、複数の光透過部、及び、隣り合う光透過部間に配列される間部を備える光学機能層を有する視野角制御層と、視野角制御層の一方の面に配置された接着層と、接着層を介して視野角制御層に配置される反射層と、反射層のうち、視野角制御層とは反対側に配置される、金属又は樹脂からなる支持板と、を備える鏡である。
【０００９】
請求項２に記載の発明は、請求項１に記載の鏡において、視野角制御層は光学機能層に積層された基材層を備える。
【００１０】
請求項３に記載の発明は、請求項1又は２に記載の鏡において、反射層が樹脂の透明支持体と金属薄膜とを含む。
【００１１】
請求項４に記載の発明は、請求項1又は２に記載の鏡において、反射層が金属薄膜のみからなる。
【発明の効果】
【００１２】
本発明によれば、視野角制御するための別途の施工等を必要とすることなく簡易な構造で鏡の反射光の視野角を規制することができる。またガラスを使用していないことで、衝撃を与えても割れ難く安全に使用することができる。
【図面の簡単な説明】
【００１３】
【図１】鏡１の外観斜視図である。
【図２】図１にＩＩ−ＩＩで示した線（水平方向となる線）を含む厚さ方向断面図であり、鏡１の構造を説明する図である。
【図３】鏡１における視野角制御層１０、反射層３０に注目して拡大した図であり、併せて光路例を説明する断面図である。
【図４】鏡１０１を説明する断面図である。
【図５】鏡１０１における視野角制御層１０、反射層１３０を拡大した図であり、併せて光路例を説明する断面図である。
【図６】鏡２０１を説明する断面図である。
【図７】鏡２０１における視野角制御層２１０、反射層３０を拡大した図であり、併せて光路例を説明する断面図である。
【図８】鏡３０１を説明する断面図である。
【図９】鏡３０１における視野角制御層３１０、反射層３０を拡大した図であり、併せて光路例を説明する断面図である。
【発明を実施するための形態】
【００１４】
以下本発明を図面に示す形態に基づき説明する。ただし本発明は当該形態に限定されるものではない。ここで、本発明に具備される要素は実際には非常に微細、薄層のものが多いことから、分かりやすさのため各図ではその一部を変形、拡大等して表している。また要素には符号を付してあるが、見易さのため繰り返しとなる符号は一部を省略することがある。
【００１５】
図１は第一の形態を説明する図で、鏡１を表した斜視図である。図１には鏡１を壁面に設置した姿勢における向きを併せて表した。図１では紙面左が観察者側である。図２は図１にＩＩ−ＩＩで示した線（水平方向となる線）を含む厚さ方向断面図である。図２では、紙面左が観察者側である。これら図からわかるように、本形態の鏡１は観察者側から、視野角制御層１０、接着層２０、反射層３０、接着層４０、及び支持板５０を備える。
【００１６】
本形態で視野角制御層１０は、鏡１のうち観察者側に配置される光学シートであり、観察者側から、基材層１１及び光学機能層１２を備えている。図３には視野角制御層１０、接着層２０、及び反射層３０の一部を拡大した。図３においても、紙面左が観察者側である。
以下に各層について説明する。
【００１７】
基材層１１は、その一方の面に光学機能層１２を形成する基材となる層である。基材層１１は、透光性を有するとともに光学機能層１２の変形を防止できるように支持する。かかる観点から、基材層１１を構成する材料の具体例として例えば、ポリエチレンテレフタレート（ＰＥＴ）、トリアセチルセルロース（ＴＡＣ）、ポリカーボネート（ＰＣ）、ポリエチレンナフタレート（ＰＥＮ）、アクリル、ポリ塩化ビニル（ＰＶＣ）、ポリプロピレン（ＰＰ）、ポリスチレン（ＰＳ）、シリコーンゴムを主成分とする透明樹脂を挙げることができる。この中でも他の層との組み合わせを考慮して複屈折の少ないトリアセチルセルロース、アクリル、ポリカーボネートを用いることが好ましい。
【００１８】
光学機能層１２は、基材層１１の一方の面（本形態では観察者側とは反対側の面）に積層されるように形成され、反射層３０で反射した光の向きを規制して再度観察者側に出射する。光学機能層１２は、所定の光を吸収する機能を有する。光学機能層１２は図２、図３に示した断面において、光透過部１３及び間部として機能する光吸収部１４をそれぞれ複数備える。光透過部１３及び光吸収部１４は、基材層１１の面に沿って当該断面を維持して一方向（本形態では鉛直方向）に延びるとともに、当該延びる方向とは異なる方向（本形態では水平方向）に交互に配列されている。
【００１９】
光透過部１３は光を透過させることを主要の機能とする部位であり、本形態では、図２、図３に表れる断面において、基材層１１側（観察者側）に長い下底、それとは反対側（反射層３０側）に短い上底を有する等脚台形である。光透過部１３は、基材層１１の層面に沿った方向に当該断面を維持して一方向（本形態では鉛直方向）に延びるとともに、この延びる方向とは異なる方向（本形態では水平方向）に所定の間隔で配列される。そして、隣り合う光透過部１３の間には、台形断面を有する間隔が形成されている。従って、当該間隔は光透過部１３の上底側に長い下底を有し、光透過部１３の下底側に短い上底を有する等脚台形断面を有し、ここに必要な材料が充填されることにより光吸収部１４が形成される。なお、本形態では隣り合う光透過部１３は長い下底側（基材層１１側）でシート状の連結部１５により連結されている。
【００２０】
光透過部１３は屈折率がＮｔとされている。このような光透過部１３は、光透過部を構成する組成物を硬化させることにより形成することができる。屈折率Ｎｔの値は特に限定されることはないが、屈折率は１．５５以上であることが好ましく、また、屈折率が高すぎる材料は割れやすい場合が多いので、１．６１以下であることが好ましい。
【００２１】
ここで、光透過部を構成する組成物としては、例えば、エポキシアクリレート系、ウレタンアクリレート系、ポリエーテルアクリレート系、ポリエステルアクリレート系、ポリチオール系等の紫外線等の電離放射線硬化型の樹脂を挙げることができる。
【００２２】
光吸収部１４は隣り合う光透過部１３の間に形成された上記した間隔に配置されて間部として機能する部位であり、当該間隔の断面形状と同様の断面形状となる。従って本形態では短い上底が基材層１１側（観察者側）を向き、長い下底がその反対側（反射層３０側）を向く等脚台形となる。そして光吸収部１４は、屈折率がＮｒとされるとともに、光を吸収することができるように構成されている。具体的には屈折率がＮｒである透明樹脂に光吸収粒子が分散される。あるいは、光吸収粒子を分散させる代わりにカーボンブラック等の顔料や染料により光吸収部全体を着色することもできる。本形態は光吸収部１４に光吸収粒子を分散させた例である。
【００２３】
光透過部１３の屈折率Ｎｔと光吸収部１４の屈折率Ｎｒとの屈折率の差は特に限定されることはないが、０．０１以下が好ましい。より好ましくは０．００である。屈折率差による反射があると、モアレ縞が出やすくなるためである。
【００２４】
ここで光吸収部１４に含まれる透明樹脂として用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂を挙げることができる。
【００２５】
光吸収部に光吸収粒子を用いる場合には、カーボンブラック等の光吸収性の着色粒子が好ましく用いられる。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は０．０１μｍ以上２０μｍ以下であることが好ましい。
【００２６】
光学機能層１２では、特に限定されることはないが、例えば次のように光透過部１３及び光吸収部１４が形成される。すなわち、図２にＰｋで表した光透過部１３及び光吸収部１４のピッチは３０μｍ以上１００μｍ以下であることが好ましい。また、図３にθｋで示した光吸収部１４と光透過部１３との斜辺（脚部）における界面と、光学機能層１２の層面の法線と、の成す角は０°以上１０°以下であることが好ましい。そして図２にＤｋで示した光吸収部１４の厚さは６０μｍ以上１５０μｍ以下であることが好ましい。これらの範囲内とすることにより、光の透過と光の吸収とのバランスをより適切なものにすることができる。
【００２７】
本形態では光吸収部１４の断面形状が等脚台形である例を示したが、これに限らずθｋが０°である場合のように長方形であってもよい。また、本形態では光透過部１３と光吸収部１４との界面（脚部）が断面において一直線状となる例を示したが、これに限らず折れ線状、凸である曲面状、凹である曲面状等であってもよい。また、複数ある光透過部１３及び光吸収部１４は、断面形状が同じであってもよいし、所定の規則性を有して異なる断面形状であってもよい。また、本形態では光透過部１３と光吸収部１４の断面が等脚台形である例を示したが、等脚台形でなく、脚部の傾斜角が一方と他方で異なっていてもよい。
【００２８】
接着層２０は、視野角制御層１０の面のうち、観察者側とは反対側に配置され、視野角制御層１０と反射層３０とを接着させるための層である。接着層２０としては従来の鏡に使用されている透明性の高い接着材や粘着材を用いることができる。これには例えば、アクリル系、ウレタン系、シリコン系等であって、一液硬化型、二液硬化型、電離放射線硬化型等の接着材や粘着材を広く用いることができる。
【００２９】
反射層３０は、接着層２０の面のうち、観察者側とは反対側に配置されることにより、観察者側から入射して視野角制御層１０を透過した光を反射させるための層であり、本形態では金属薄膜３１と透明支持体３２とを備えている。
【００３０】
金属薄膜３１は、観察者側から入射して視野角制御層１０を透過した光を反射させるための金属の層であり、本形態では後に説明する透明支持体３２の面のうち、観察者側とは反対側に配置されている。金属薄膜３１としては、従来の鏡に使用されている金属の層を特に制限なく用いることができる。これには例えば蒸着によるアルミニウム薄膜や銀の薄膜等が挙げられる。
【００３１】
透明支持体３２は、接着層２０のうち、視野角制御層１０とは反対側に配置され、金属薄膜３１を支持するための層である。透明支持体３２としては、平滑性と透明性があれば特に制限はないが、ポリエチレンテレフタレート（ＰＥＴ）や2軸延伸ポリプロピレン（ＯＰＰ）が好ましい。蒸着による金属の薄膜を転写することが可能な蒸着付きＰＥＴフィルムを使用してもよい。
【００３２】
透明支持体の厚さとしては、５μｍ以上５０μｍ以下であることが好ましい。厚さが５μｍより薄いと、支持体の上に金属薄膜を形成することが困難となる。一方、５０μｍより厚いと、視野角制御層と金属薄膜との距離が長くなり、モアレ縞が発生しやすくなる。
【００３３】
接着層４０は、反射層３０の面のうち、視野角制御層１０とは反対側に配置され、反射層３０と後述する支持板５０とを接着させるための層である。接着層４０としては、前述の接着層２０と同様、従来の鏡に使用されている透明性の高い接着材や粘着材を用いることができる。
【００３４】
支持板５０は、前述の視野角制御層１０、接着層２０、反射層３０を支持するための平板である。支持板５０としては、表面に平滑性があれば、金属、樹脂、無機板等を特に制限なく用いることができるが、軽量で耐衝撃性がある材料として、金属樹脂複合板、メラミン樹脂板、発泡樹脂複合板、またこれらの複合板が好ましい。
【００３５】
視野角制御層１０を含む鏡１は、例えば次のように作製される。
はじめに基材層１１の一方の面に光透過部１３を形成する。これは、光透過部１３の形状が転写できる形状を表面に有する金型ロールと、これに対向するように配置されたニップロールとの間に、基材層１１となる基材シートを挿入する。そして、基材シートと金型ロールとの間に光透過部１３を構成する組成物を供給しながら金型ロール及びニップロールを回転させる。これにより金型ロールの表面に形成された光透過部１３に対応する溝（光透過部の形状を反転した形状）に光透過部１３を構成する組成物が充填され、該組成物が金型ロールの表面形状に沿ったものとなる。
【００３６】
金型ロールと基材シートとの間に挟まれ、ここに充填された光透過部１３を構成する組成物に対し、基材シート側から光照射装置により硬化させるための光を照射する。これにより、組成物を硬化させ、その形状を固定させることができる。そして、離型ロールにより金型ロールから基材層１１および成形された光透過部１３を離型する。
【００３７】
次に、光吸収部１４を形成する。光吸収部１４を形成するには、まず、形成した光透過部１３間の間隔に光吸収部１４を構成する組成物を充填する。その後、余剰分の当該組成物をドクターブレード等で掻き落とす。そして、残った組成物に光透過部１３側から紫外線を照射することによって硬化させ光吸収部１４を形成する。光透過部１３と光吸収部１４により、視野角制御層１０が形成される。
【００３８】
次に、反射層３０を形成する。反射層３０は、透明支持体３２の一方の面に、例えばアルミニウム蒸着を施すことで金属薄膜３１を形成する。
【００３９】
このように作製された反射層３０と支持板５０を積層するため、支持板５０の一方の面に接着層４０を形成する。接着層４０はグラビア、スリットリバース、３本ロール、ダイコート、スロットダイ等を利用して支持板５０に直接形成することができる。また、あらかじめ離型シートに接着層４０を塗工しておき、支持板５０に転写することで形成することもできる。そして、支持板５０に形成された接着層４０を介し、プレス機などを用いて支持板５０に反射層３０を積層する。本形態では、反射層３０のうち金属薄膜３１側の面が接着層４０と接着している。
【００４０】
さらに、反射層３０に視野角制御層１０を積層するため、反射層３０の一方の面（本形態では透明支持体３２側の面）に接着層２０を形成する。接着層２０の形成方法は、上記した接着層４０を同様にすることができる。そして、反射層３０に形成された接着層２０を介し、ロールラミネーター等を用いて反射層３０に視野角制御層１０を積層することで、鏡１となる。
【００４１】
以上のような鏡１は次のように作用する。図３に模式的な光路例を示した。ただし、当該光路例は概念的に示したものであり、屈折、反射の程度等を厳密に表したものではない。以下同様である。
【００４２】
観察者側から入射した光Ｌ１は、光吸収部１４に達することなく視野角制御層１０、接着層２０を透過し反射層３０の金属薄膜３１の面で反射する。反射した光Ｌ１も光吸収部１４に達することなく、再度接着層２０、視野角制御層１０を透過して観察者側に出射される。このような光は鏡１の正面に近い方向から鏡１に入射し、正面に近い方向へ鏡１から出射するので、本来利用者が必要としている光であり、このような光を適切に反射して観察者（利用者）に提供することができる。
一方、観察者側から入射した光Ｌ２は、鏡１の表面の法線に対して大きな角度を有して鏡１に入射する。そしてこの光Ｌ２は、視野角制御層１０の基材層１１、光透過部１３を透過して光透過部１３と光吸収部１４との界面に達する。界面に達した光Ｌ２は、ＮｔとＮｒの屈折率差が０に近いため全反射することなく光吸収部１４で吸収される。このように光吸収部１４で吸収されることにより、光Ｌ２が図３に破線の矢印で示したような反射層３１で反射して観察者からはずれた場所に出射することを防ぐことができる。すなわち、これにより、隣の人側からの光、隣の人への光を遮断することができ、観察者は隣の人の視線を気にすることがなくなる。
このように、鏡１によれば、光Ｌ２は正面からはずれた位置には提供されなくなるので、斜め方向から鏡を見たときに観察者の像を見ることができず、正面からはずれた位置の観察者の視線を気にすることを防止できる。
【００４３】
以上のように、鏡１のうち、視野角制御層１０により、反射光の正面輝度の向上及び視野角の制限を図ることができる。
【００４４】
また、従来の鏡においては、反射層部分にガラスを使用していることで、鏡全体として重くなり、また落下や衝突等の衝撃でガラスが割れ、飛散するなどの危険性もあった。
これに対して本形態によれば、従来の鏡におけるガラスの代わりに、上記したような透明支持体３２を用いることで、鏡全体としての軽量化を図ることができる。また、落下や衝突等の衝撃を加えても、割れることなく、安全に使用することができる。
【００４５】
また、視野角制御層１０には上記したような効果があるが、視野角制御層１０を従来の鏡に用いると、従来の鏡におけるガラスの厚みが原因で、視野角制御層と、反射層のうち光が反射する面（金属薄膜）との距離が長くなり、モアレ縞が発生することがあった。
これに対して鏡１によれば、従来の鏡におけるガラスではなく、上記したような薄い透明支持体３２を用いることで、モアレ縞の発生を抑制することができる。
【００４６】
図４は第二の形態を説明する図で、反射層１３０を備える鏡１０１の厚さ方向断面図である。図４は図２に相当する。鏡１０１は、視野角制御層１０、接着層２０、反射層１３０、接着層４０及び支持板５０を備える。視野角制御層１０、接着層２０、接着層４０及び支持板５０については、上記した鏡１と同様なので説明を省略する。
【００４７】
第二の形態では、鏡１０１が鏡１における反射層３０の代わりに反射層１３０を備えている。反射層１３０は、反射層３０から透明支持体３２を取り除いた形態である。すなわち、反射層１３０は、金属薄膜３１のみからなる。
【００４８】
このような鏡１０１は例えば次のように作製される。すなわち、第一の形態における反射層３０と同様に、金属薄膜３１及び透明支持体３２を備えた反射層を形成する。これを支持板５０に接着層４０を介して積層する。その後、その積層体から、透明支持体３２を剥離する。透明支持体３２が剥離した反射層上、すなわち金属薄膜３１上に、上記した方法と同じように接着層２０を形成し、視野角制御層１０を積層することで、鏡１０１となる。
【００４９】
反射層１３０及びこれを備えた鏡１０１は、以下のように作用する。図５に模式的な光路例を示した。図５は図３に相当する。
【００５０】
観察者側から入射した光Ｌ３は、光吸収部１４に達することなく光透過部１３、接着層２０を透過し反射層３０の金属薄膜３１の面で反射する。反射した光Ｌ３は光吸収部１４に達することなく、再度接着層２０、光透過部１３を透過して観察者側に出射される。このような光は鏡１０１の正面に近い方向から鏡１０１に入射し、正面に近い方向へ鏡１０１から出射するので、本来利用者が必要としている光であり、このような光を適切に反射して観察者（利用者）に提供することができる。
一方、観察者側から入射した光Ｌ４は、鏡１０１の表面の法線に対して大きな角度を有して鏡１０１に入射する。そしてこの光Ｌ４は、基材層１１を透過して視野角制御層１０の光透過部１３と光吸収部１４との界面に達する。界面に達した光Ｌ４は、ＮｔとＮｒの屈折率差が０に近いため全反射することなく光吸収部１４で吸収される。光Ｌ４が光吸収部１４で吸収されることにより、図５に破線の矢印で示したように、光Ｌ４が反射層３０で反射し、観察者から外れた場所に出射することを防ぐことができる。これにより、隣の人側からの光、隣の人への光を遮断することができ、観察者は、隣の人の視線を気にすることがなくなる。
【００５１】
また、本形態では反射層から透明支持体３２を取り除き、反射層１３０のような形態にすることで、視野角制御層と、反射層のうち光が反射する面（金属薄膜）との距離が短くなり、モアレ縞の発生をより一層抑制することができる。また、それにより視認性の低下を防止する効果も顕著となる。
【００５２】
以上のように、反射層１３０を備える鏡１０１によっても、上記した鏡１と同様の効果を奏するものとなる。
【００５３】
図６は第三の形態を説明する図で、視野角制御層２１０を備える鏡２０１の厚さ方向断面図である。図６は図２、図４に相当する。鏡２０１は、視野角制御層２１０、接着層２０、反射層３０、接着層４０及び支持板５０を備える。本形態では、視野角制御層２１０は、観察者側から、光学機能層１２、及び基材層１１を備えている。また、本形態では、光学機能層１２は、光透過部１３が図６に表れる断面において、観察者側に短い上底、それとは反対側（反射層３０側）に長い下底を有するように配置されている。つまり、鏡２０１は、基材層１１及び光学機能層１２自体については、上記した視野角制御層１０と同様であるが、各層の配置の順序と、光学機能層１２の配置の向きが第一の形態と異なる。すなわち、視野角制御層を第一の形態の鏡１に対して反転させた形態である。
【００５４】
視野角制御層２１０を備えた鏡２０１は次のように作用する。図７に模式的な光路図を示した。図７は図３、図５に相当する。
【００５５】
観察者側から入射した光Ｌ５は、光吸収部１４に達することなく光透過部１３、基材層１１、接着層２０を透過し反射層３０の金属薄膜３１の面で反射する。反射した光Ｌ５は光吸収部１４に達することなく、再度接着層２０、基材層１１、光透過部１３を透過して観察者側に出射される。このような光は鏡２０１の正面に近い方向から鏡２０１に入射し、正面に近い方向へ鏡２０１から出射するので、本来利用者が必要としている光であり、このような光を適切に反射して観察者（利用者）に提供することができる。
一方、観察者側から入射した光Ｌ６は、鏡２０１の表面の法線に対して大きな角度を有して鏡２０１に入射する。そしてこの光Ｌ６は、光吸収部１４に達することなく光透過部１３、基材層１１、接着層２０を透過して反射層３０の金属薄膜３１の面で反射する。反射した光Ｌ６は接着層２０、基材層１１、光透過部１３を透過し、光透過部１３と光吸収部１４との界面に達する。界面に達した光Ｌ６は、ＮｔとＮｓの屈折率差が０に近いため全反射することなく光吸収部１４内に進み、吸収される。光吸収部１４で吸収されることにより、図７に破線の矢印で示したように、光Ｌ６が反射層３０で反射し、観察者からはずれた場所に出射することを防ぐことができる。これにより、隣の人側からの光、隣の人への光を遮断することができ、観察者は、隣の人の視線を気にすることがなくなる。
このように、鏡２０１においても、Ｌ６は光吸収部１４により吸収され、観察者から外れた場所に出射することを防ぐことができる。
【００５６】
図８は第四の形態を説明する図で、光学機能層３１２を備える視野角制御層３１０を具備する鏡３０１の厚さ方向断面図である。図８は図２、図４、図６に相当する。鏡３０１は、視野角制御層３１０、接着層２０、反射層３０、接着層４０及び支持板５０を備える。接着層２０、反射層３０、接着層４０及び支持板５０については、上記した鏡１と同様なので説明を省略する。
【００５７】
第四の形態では、視野角制御層３１０は図８に示した断面において、光透過部３１３及び間部として機能する光吸収部３１４をそれぞれ複数備える。また、視野角制御層３１０は、上記した視野角制御層１０、２１０が備えていた基材層を備えていない。すなわち、視野角制御層３１０は、複数の光透過部３１３と複数の光吸収部３１４のみからなる。光透過部３１３及び光吸収部３１４は、鏡１の面方向に沿って（本形態では鉛直方向）当該断面を維持して一方向に延びるとともに、当該延びる方向とは異なる方向（本形態では水平方向）に交互に配列されている。図９には視野角制御層３１０、反射層３０の一部を拡大して２つの光吸収部３１４とこれに隣接する光透過部３１３を示した。図８においても、紙面上が観察者側である。
【００５８】
図８に表れているように、光透過部３１３は、図８に表れる断面において、観察者側に光学機能層３１２の一方の面の一部を形成する上辺を有し、それとは反対側（反射層側）に、上辺と同じ長さで光学機能層３１２の他方の面の一部を形成する底辺を有する長方形である。光透過部３１３は、光学機能層３１２の層面に沿った方向に当該断面を維持して一方向に延びる（本形態では鉛直方向）とともに、この延びる方向とは異なる方向（本形態では水平方向）に所定の間隔で配列される。そして、隣り合う光透過部３１３の間には、長方形断面を有する間隔が形成されている。従って、当該間隔は光学機能層３１２の一方の面の一部を形成する上辺を有し、それとは反対側（反射層側）に、上辺と同じ長さで光学機能層３１２の他方の面の一部を形成する底辺を有する長方形である。
【００５９】
光透過部３１３及び光吸収部３１４を構成する材料としては、それぞれ上記した光透過部１３及び光吸収部１４と同じものを用いることができるが、図８、図９の例では光吸収部３１４に光吸収粒子を分散させる代わりに、カーボンブラックにより光吸収部３１４の全体を着色している。また、光透過部３１３の屈折率、光吸収部３１４の屈折率、及び両者の屈折率差についても、上記した光透過部１３及び光吸収部１４と同様に考えることができる。
【００６０】
光学機能層３１２では、特に限定されることはないが、例えば次のように光透過部３１３及び光吸収部３１４が形成される。すなわち、図８にＰｋ’で表した光透過部３１３及び光吸収部３１４のピッチは、第1の形態における光透過部１３及び光吸収部１４のピッチと同じく、３０μｍ以上１００μｍ以下であることが好ましい。また、図８にＤｋ’で示した光吸収部３１４の厚さについても、第１の形態における光吸収部１４と同じく６０μｍ以上１５０μｍ以下であることが好ましい。これらの範囲内とすることにより、光の透過と光の吸収とのバランスをより適切にすることができる。
【００６１】
上記した光学機能層３１２は、例えば次のように作製される。すなわち、光透過部３１３を構成する材料からなるシートを複数枚と、光吸収部３１４を構成する材料からなるシートを複数枚用意し、それらを交互に積層する。次に、積層したシートを加熱及び加圧することによりこれらのシートが一体化してなる積層体を形成する。この時、光透過部３１３を構成する材料からなるシート１枚と、光吸収部３１４を構成する材料からなるシート１枚とを積層した厚さがＰｋ’となるようにする。このようにすることで、光吸収部３１３及び光透過部３１４のピッチが上記したようにＰｋ’となる。そして、得られた積層体をシート面に垂直な切断面でスライスすることにより、光学機能層３１２を形成することができる。この時、スライスする幅は光学機能層３１２の厚さとなるよう上記したＤｋ’とする。
【００６２】
光学機能層３１２を備えた視野角制御層３１０を有する鏡３０１は、以下のように作用する。図９に模式的な光路図を示した。図９は、図３、図５、図７に相当する。
【００６３】
観察者側から入射した光Ｌ７は、光吸収部３１４に達することなく光透過部３１３、接着層２０を透過し反射層３０の金属薄膜の面で反射する。反射した光Ｌ７は光吸収部３１４に達することなく、再度接着層２０、光透過部３１３を透過して観察者側に出射される。このような光は鏡３０１の正面に近い方向から鏡３０１に入射し、正面に近い方向へ鏡３０１から出射するので、本来利用者が必要としている光であり、このような光を適切に反射して観察者（利用者）に提供することができる。
一方、観察者側から入射した光Ｌ８は、鏡３０１の表面の法線に対して大きな角度を有して鏡３０１に入射する。そしてこの光Ｌ８は、光吸収部３１４に達することなく光透過部３１３、接着層２０を透過して反射層３０の金属薄膜３１の面で反射する。反射した光Ｌ８は接着層２０、光透過部３１３を透過し、光透過部３１３と光吸収部３１４との界面に達する。界面に達した光Ｌ８は、ＮｔとＮｓの屈折率差が０に近いため全反射することなく光吸収部３１４内に進み、吸収される。光吸収部３１４で吸収されることにより、図９に破線の矢印で示したように、光Ｌ８が反射層３０で反射し、観察者から外れた場所に出射することを防ぐことができる。これにより、隣の人側からの光、隣の人への光を遮断することができ、観察者は、隣の人の視線を気にすることがなくなる。
このように、鏡３０１においても、Ｌ８は光吸収部３１４により吸収され、観察者からはずれた場所に出射することを防ぐことができる。
【符号の説明】
【００６４】
１、１０１、２０１、３０１  鏡
１０、２１０、３１０  視野角制御層
１１              基材層
１２、３１２  光学機能層
１３、３１３  光透過部
１４、３１４  光吸収部
３０、１３０  反射層
３１  金属薄膜
３２  透明支持体
４０  接着層
５０  支持板
【図１】
2018155909.tif 000003
【図２】
2018155909.tif 000004
【図３】
2018155909.tif 000005
【図４】
2018155909.tif 000006
【図５】
2018155909.tif 000007
【図６】
2018155909.tif 000008
【図７】
2018155909.tif 000009
【図８】
2018155909.tif 000010
【図９】
2018155909.tif 000011